(57)【要約】【課題】分岐器において分岐数を変更する際に、停波しないようにする。【解決手段】分岐ケース部３を本体ケース部２から取り外すと、スイッチ操作片２２，２３が自由となってスイッチ板２１が元の状態に戻るため、接触子２４はスイッチ板２１を介して接触子２５と接触する。これにより、同軸接栓４から入力されたＣＡＴＶ信号が、そのまま同軸接栓５から出力される。分岐ケース部３を本体ケース部２に嵌合すると、スイッチ操作片２２，２３によりスイッチ板２１の端部が押し上げられてオフする。同時に挿入片１３ａ、１３ｂが接触子２４，２５に挿入されて分岐回路がその間に接続される。これにより、停波させることなく分岐数を変更することができる。【選択図】　図８
2004063136.tif 000002
【特許請求の範囲】
【請求項１】
入力端子と出力端子とを備え、半截されたケース状とされている本体ケース部と、該本体ケース部に嵌合されて水密なケースを構成すると共に、前記入力端子と前記出力端子間に接続可能な分岐回路と、該分岐回路の分岐出力がそれぞれ出力される複数の分岐出力端子を備える分岐ケース部とからなり、前記本体ケース部に前記分岐ケース部が取り付けられた際に、前記入力端子と前記出力端子との間に前記分岐回路を挿入し、前記本体ケース部から前記分岐ケース部が取りはずされた際に、前記入力端子と前記出力端子とを直接接続するようスイッチングするスイッチ手段が、前記本体ケース部内に収納されている分岐器であって、
前記スイッチ手段は、入力端子接点と、出力端子接点と、該入力端子接点に一端が、該出力端子接点に他端が接触可能な接点が両端に形成されているスイッチ板と、前記入力端子接点を絶縁して前記本体ケース部内に固着している第１の絶縁支持部と、前記出力端子接点を絶縁して前記本体ケース部内に固着している第２の絶縁支持部とを備え、前記本体ケース部に前記分岐ケース部が取り付けられる際に、前記分岐ケース部により押されて移動するスイッチ操作片により前記スイッチ板の両端が押圧されて、前記スイッチ板と前記入力端子接点および前記出力端子接点との接触が解除されると共に、前記分岐回路の入力端および出力端から突出して設けられている接触片が、それぞれ前記入力端子接点あるいは前記出力端子に接触するようにしたことを特徴とする分岐器。
【発明の詳細な説明】
【０００１】
【発明の属する技術分野】
本発明は、ＣＡＴＶ用信号等の分岐数変更することのできる分岐器に関するものである。
【０００２】
【従来の技術】
ＣＡＴＶ用分岐器は、複数の分岐端子を備えており、入力端子から入力されたＣＡＴＶ信号を分岐回路で分岐して、複数の分岐端子にそれぞれ出力するようにしている。このようなＣＡＴＶ用分岐器は、幹線の途中に挿入されて、分岐したＣＡＴＶ信号を各加入者宅へ送るようにしている。
【０００３】
【発明が解決しようとする課題】
ところで、新規加入者にＣＡＴＶ信号を供給する際に、既設の分岐器の分岐数が不足して分岐数を増加したい場合がある。この場合には、分岐器そのものを取り替えたり、分岐回路および分岐端子が設けられている分岐器の半截された半分のケース部分を取り替えることにより分岐数の増減を行うようにしている。しかしながら、このような分岐数の増減を行う手段では、分岐数の増減を行う際に分岐器の分岐動作が停止されることから、分岐器に後続する幹線のＣＡＴＶ信号が停波してしまうという問題点があった。
【０００４】
そこで、本発明は、既設の分岐器において分岐数を変更する際に、停波しないようにした分岐器を提供することを目的としている。
【０００５】
【課題を解決するための手段】
上記目的を達成するために、本発明の分岐器は、本体ケース部に分岐ケース部が取り付けられた際に、入力端子と出力端子との間に分岐回路を挿入し、本体ケース部内から前記ケース部が取り外された際に、入力端子と出力端子とを直接接続するようスイッチングするスイッチ手段を設けるようにしている。そして、スイッチ手段におけるスイッチ板の一端部が接触する入力端子接点を第１の絶縁部材で固着すると共に、スイッチ板の他端部が接触する出力端子接点を第２の絶縁部材で固着するようにしている。これにより、分岐数を変更する際に分岐回路および分岐端子が設けられている分岐ケース部を本体ケース部から取り外しても、ＣＡＴＶ信号が停波することを防止することができる。また、第１の絶縁部材と第２の絶縁部材によりそれぞれ入力端子接点および出力端子接点を固着するようにしたので、ケースの大きさの異なる分岐器であってもケースの大きさに合わせて入力端子接点および出力端子接点を第１の絶縁部材および第２の絶縁部材により固着することができるようになる。さらに、分岐器に障害が発生して分岐器のケースを開ける必要がある場合にもＣＡＴＶ信号が停波することを防止することができる。
【０００６】
【発明の実施の形態】
本発明の実施の形態の分岐器の全体構成を示す正面図を図１に、その側面図を図２に、その底面図を図３に示す。
これらの図に示すように、本発明にかかる分岐器１はほぼ矩形状をしており、本体ケース部２と、本体ケース部２に嵌合されて水密なケースを構成している分岐ケース部３とから構成されている。本体ケース部２の一側面には、入力用の同軸接栓４が設けられ、対向する側面には出力用の同軸接栓５が設けられている。また、本体ケース部２の上面にはメッセンジャワイヤに分岐器１を吊架するための固着部６が設けられている。固着部６は本体ケース部２の上面から突出して形成されている挟持用突出部６ｂと、挟持用突出部６ｂの上面にネジで取り付けられている挟持板６ａとから構成されている。ここで、挟持板６ａと挟持用突出部６ｂとの間にメッセンジャワイヤを挟持してネジを締め付けることにより、分岐器１をメッセンジャワイヤに吊架することができる。なお、挟持板６ａはメッセンジャワイヤを挟持しやすいように凹部が形成されており、対向する挟持用突出部６ｂの上面にはメッセンジャワイヤが収まる溝部が形成されている。
【０００７】
分岐ケース部３の下面からは、例えば４個の分岐端子１１ａ、１１ｂ、１１ｃ、１１ｄが突出するよう設けられている。分岐ケース部３内には図示しない分岐回路が設けられており、入力用の同軸接栓４を介して入力されたＣＡＴＶ信号が分岐回路で４分岐されてそれぞれの分岐端子１１ａ〜１１ｄに分岐信号ＤＩＶ１，ＤＩＶ２，ＤＩＶ３，ＤＩＶ４として出力されている。なお、本体ケース部２と分岐ケース部３とは、例えばアルミダイキャスト製とされており、ネジ１２ａ，１２ｂ，１２ｃの３本のネジで両者が固着されて分岐器１が構成されている。このように、分岐器１は金属製のケースを有するようにされている。なお、同軸接栓４を出力側として、同軸接栓５を入力側としてもよい。
【０００８】
次に、本発明にかかる分岐器１の内部構成を図４ないし図８に示す。ただし、図４は本発明にかかる分岐器１の構成を示す断面図であり、図５は分岐ケース部３を取り外した本体ケース部２の内部構成を示す図であり、図６は取り外した分岐ケース部３の内部構成を示す図であり、図７は本体ケース部２内に取り付けられている絶縁支持部２７の部分を拡大して示す図であり、図８は分岐ケース部３を取り外した際の分岐器１の構成を示す断面図である。
これらの図に示すように、本体ケース部２内には絶縁支持部２６および絶縁支持部２７が設けられており、絶縁支持部２６および絶縁支持部２７にそれぞれ接触子２４および接触子２５が収納されている。接触子２４および接触子２５には、弾性を有し細長く形成されているスイッチ板２１の端部がそれぞれ接触可能とされており、図４に示すように分岐ケース部３が本体ケース部２に嵌合している状態においては、接触子２４および接触子２５とスイッチ板２１の端部との接触が断たれている。
【０００９】
そして、分岐ケース部３の内部に固着されている分岐回路基板１２に立設されている挿入片１３ａが接触子２４に挿入されて電気的に接触していると共に、分岐回路基板１２に立設されている挿入片１３ｂが接触子２５に挿入されて電気的に接触している。分岐回路基板１２には分岐回路が組み込まれており、分岐回路の入力端が挿入片１３ａとされ、分岐回路の出力端が挿入片１３ｂとされている。これにより、分岐回路が接触子２４と接触子２５との間に接続されることになり、図４に示す例では同軸接栓４から入力されたＣＡＴＶ信号が分岐回路により４分岐されて４個の分岐端子１１ａ、１１ｂ、１１ｃ、１１ｄから分岐信号ＤＩＶ１，ＤＩＶ２，ＤＩＶ３，ＤＩＶ４としてそれぞれ出力される。また、図５および図６に示すように本体ケース部２の周縁部には溝が切られて溝内にＯリング３０が収納されている。さらに、分岐ケース部３の周縁部にも溝が切られて溝内にＯリング１５が収納されている。これにより、分岐ケース部３を本体ケース部２に嵌合した際に水密な構造の分岐器１とすることができる。さらにまた、分岐ケース部３を本体ケース部２に嵌合した際には、３本のネジ１２ａ，１２ｂ，１２ｃをそれぞれ分岐ケース部３のネジ穴１４ａ，１４ｂ，１４ｃに挿通して、本体ケース部２のネジ孔２０ａ，２０ｂ，２０ｃに螺着することにより、分岐器１を組み立てるようにする。
【００１０】
ところで、本体ケース部２に分岐ケース部３を嵌合した図４に示す状態の場合に、スイッチ操作片２２およびスイッチ操作片２３の下端に分岐ケース部３における分岐回路基板１２が当接して、スイッチ操作片２２およびスイッチ操作片２３を上に向かって移動させている。これにより、スイッチ操作片２２およびスイッチ操作片２３の上端がスイッチ板２１の端部に当接して、スイッチ板２１の端部が押し上げられるようになる。この結果、接触子２４および接触子２５とスイッチ板２１の端部との接触が断たれるようになる。そして、上述したように接触子２４および接触子２５にそれぞれ挿入片１３ａおよび挿入片１３ｂが挿入されて接触子２４および接触子２５の間に分岐回路が挿入されるようになる。
【００１１】
また、本体ケース部２から分岐ケース部３を取り外した図８に示す状態の場合には、スイッチ操作片２２およびスイッチ操作片２３は分岐ケース部３における分岐回路基板１２と離接して自由になることから、図８に示すように下に移動した状態となる。スイッチ板２１は、図１８および図１９に示すように両端部が屈曲されており、スイッチ板２１は自らの弾性および後述する圧力補助片２６ｉ，２７ｉの復元力により元の形状に戻ろうとすることから、スイッチ板２１の端部がそれぞれ接触子２４および接触子２５に接触するようになる。これにより、分岐回路がスイッチ板２１によりバイパスされるようになり、同軸接栓４から入力されたＣＡＴＶ信号は接触子２４，スイッチ板２１および接触子２５を介して同軸接栓５から出力されるようになる。従って、分岐ケース部３を本体ケース部２から取り外しても分岐器１の後段へのＣＡＴＶ信号が停波することを防止することができる。そして、分岐数だけが異なる新たな分岐ケース部を本体ケース部２に嵌合した際に新たな分岐数の分岐回路が接触子２４と接触子２５との間に接続されて、新たな分岐数の分岐器１とすることができる。これにより、分岐器１の分岐数を分岐ケース部３だけを交換することによりＣＡＴＶ信号を停波させることなく変更することができるようになる。
【００１２】
ここで、絶縁支持部２７は絶縁支持部２６と同形状とされて樹脂成形により作成されており、代表して図７に示す絶縁支持部２７について説明する。絶縁支持部２７のほぼ中央には第１接触部２５ａと第２接触部２５ｂを備える接触子２５が収納されている。第１接触部２５ａは、分岐ケース部３を本体ケース部２に嵌合した際に分岐回路基板１２に立設されている挿入片１３ｂが挿入されて接触する接触部とされている。また、第２接触部２５ｂは同軸接栓５における中心導体５ａが挿入されて接触される接触部とされている。この絶縁支持部２７は、本体ケース部２に立設されている位置決め突起２９ｂにより位置決めされてネジ２８ｃおよびネジ２８ｄにより本体ケース部２内に固着されるが、ネジ２８ｃはスイッチ板２１を絶縁支持部２７に固着する役目も担っている。さらに、絶縁支持部２７にはＵ字状に形成されているスイッチ操作片２３が上下に摺動自在に係合している。
【００１３】
次に、分岐ケース部３の構成を図９ないし図１２に示す。ただし、図９は分岐ケース部３の構成を示す正面図であり、図１０はその下面図であり、図１１はその裏面図であり、図１２は左側面図である。
これらの図に示すように、分岐ケース部３は、例えばアルミダイキャスト製とされており、４分岐とされている場合には分岐ケース部３に４個の分岐端子１１ａ〜１１ｄが固着されている。これらの分岐端子１１ａ〜１１ｄは分岐ケース部３の下面から突出するよう固着されている。また、分岐ケース部３の上面からは本体ケース部２に嵌合されるリング状の嵌合部１６が突出するよう形成されている。さらに、分岐ケース部３の内部には多数のネジが切られているボスが立設されており、これらのボスを利用して分岐回路が組み込まれている分岐回路基板１２が分岐ケース部３内に取り付けられている。さらにまた、分岐ケース部３の内側の周縁部にＯリング１５が収納されるリング状溝３ａが形成されている。
【００１４】
また、本体ケース部２の構成を図１３ないし図１７に示す。ただし、図１３は本体ケース部２の構成を示す正面図であり、図１４はその裏面図であり、図１５はその左側面図であり、図１６は平面図であり、図１７は右側面図を断面図で示す図である。
これらの図に示すように、本体ケース部２は、例えばアルミダイキャスト製とされており、その上面からは挟持用突出部６ｂが形成されている。また、一側面には同軸接栓４を取り付ける取付部２ａが形成されており、対向する側面には同軸接栓５を取り付ける取付部２ｂが形成されている。また、本体ケース部２の内側には位置決め突起２９ａとネジ孔２ｃと、位置決め突起２９ｂとネジ孔２ｅとが形成されている。図５に示すように位置決め突起２９ａとネジ孔２ｃとにより絶縁支持部２６が位置決めされて固着されており、位置決め突起２９ｂとネジ孔２ｅとにより絶縁支持部２７が位置決めされて固着されている。また、絶縁支持部２６と絶縁支持部２７との間に保持されたスイッチ板２１の裏面が当接されて保持される支持突部２ｄが形成されている。さらに、本体ケース部２の内側の周縁部にＯリング３０が収納されるリング状溝２ｆが形成されている。
【００１５】
次に、スイッチ板２１の構成を図１８および図１９に示す。ただし、図１８はスイッチ板２１の構成を示す正面図であり、図１９はその平面図である。
これらの図に示すように、スイッチ板２１はリン青銅等の弾性を有する素材を加工して細長く形成されており、細板部２１ａの両端部はくの字状に屈曲されて傾斜部２１ｂおよび傾斜部２１ｅが形成されている。傾斜部２１ｂの先端はやや屈曲されて第１接点２１ｃが形成されており、傾斜部２１ｅの先端もやや屈曲されて第２接点２１ｆが形成されている。第１接点２１ｃは接触子２４に接触可能な接点とされ、第２接点２１ｆは接触子２５に接触可能な接点とされている。第１接点２１ｃおよび第２接点２１ｆから傾斜部２１ｂおよび傾斜部２１ｅにかけて軸方向にスリットが形成されて二股状とされている。これは、後述する接触子２４における二股状の第３接触部２４ｄ（２５ｄ）の高さが異なっていてもその形状に適合させるためである。これにより、第１接点２１ｃおよび第２接点２１ｆの接触子２４および接触子２５への接触を良好にしている。細板部２１ａにおける傾斜部２１ｂおよび傾斜部２１ｅとの境界部には貫通孔２１ｄおよび貫通孔２１ｇが形成されている。貫通孔２１ｄにはネジ２８ｂが挿通されて絶縁支持部２６に固着され、貫通孔２１ｇにはネジ２８ｃが挿通されて絶縁支持部２７に固着される。
【００１６】
次に、絶縁支持部２６の構成を図２０ないし図２３に示す。ただし、図２０は絶縁支持部２６の構成を示す正面図であり、図２１はその平面図であり、図２２はその裏面図であり、図２３は断面図で示す平面図、右側面図および左側面図である。
これらの図に示すように、絶縁支持部２６は樹脂成形により作成されており、ほぼ中央部に接触子２４を収納する収納壁２６ｇを備える収納部２６ａが形成され、左側には円形の鍔部２６ｆが形成されている。収納部２６ａの両側には２つのネジ穴２６ｄ，２６ｅが形成されており、図５に示すようにネジ穴２６ｅには位置決め突起２９ａが挿通され、ネジ穴２６ｄにはネジ２８ａが挿通される。さらに、ネジ孔２６ｃが設けられており、このネジ孔２６ｃにはスイッチ板２１の貫通孔２１ｄに挿通されたネジ２８ｂが螺着される。鍔部２６ｆのほぼ中央には同軸接栓４の中心導体４ａが挿通される挿通孔２６ｈが形成されている。さらにまた、ネジ孔２６ｃに隣接して細長い矩形状の圧力補助片２６ｉが形成されている。この圧力補助片２６ｉは、スイッチ板２１の第１接点２１ｃを接触子２４に確実に接触するようにスイッチ板２１の傾斜部２１ｂを押圧する部位とされている。
【００１７】
次に、スイッチ操作片２２の構成を図２４に示す。図２４（ａ）はスイッチ操作片２２の構成を示す正面図であり、図２４（ｂ）はその平面図であり、図２４（ｃ）はスイッチ操作片２２を絶縁支持部２６に取り付けた際の構成を示す図である。
スイッチ操作片２２およびスイッチ操作片２３は樹脂成形により作成されて同一の構成とされており、断面Ｕ字状の形状とされている。開いている先端の内側には抜止用の突起が形成されており、絶縁支持部２６における摺動部２６ｂに挿入された際に抜け落ちないようにされている。
【００１８】
次に、接触子２４の構成を図２５ないし図２９に示す。ただし、図２５は接触子２４の構成を示す正面図であり、図２６はその左側面図であり、図２７はその平面図であり、図２８はその右側面図であり、図２９はその上面図である。
これらの図に示すように、接触子２４は接触子２５と同様の構成とされており、接触子２４はリン青銅等の弾性を有する板金を加工することにより作成されている。この場合、第１接触部２４ａと第２接触部２４ｂとがほぼ直交するように形成されている。第１接触部２４ａは２枚の挟持片からなり、分岐ケース部３を本体ケース部２に嵌合した際に、分岐回路基板１２に立設されている挿入片１３ａが図４に示すように挿入される接触部である。また、第２接触部２４ｂも２枚の挟持片を備え、本体ケース部２に同軸接栓４を取り付けた際に、その中心導体４ａの端部が挿入されて接触される接触部である。さらに、第２接触部２４ｂの後方にはスイッチ板２１の第１接点２１ｃが接触する第３接触部２４ｄが形成されている。そして、板金加工により接触子２４が形成されることから第１接触部２４ａにおける挿入片１３ａを挟持する一方から第３接触部２４ｄにかけてスリット２４ｃが設けられる。これにより、挿入片１３ａが第１接触部２４ａに挿入された際に確実に接触できるようにされると共に、第３接触部２４ｄが二股状に形成されるようになる。
【００１９】
次に、挿入片１３の構成を図３０（ａ）〜（ｄ）に示す。ただし、図３０（ａ）は挿入片１３の構成を示す正面図であり、図３０（ｂ）はその平面図であり、図３０（ｃ）はその側面図であり、図３０（ｄ）はその裏面図である。
これらの図に示すように、挿入片１３は金属板を加工して作成されており、矩形状の挿入部１３１を備えている。この挿入部１３１は、分岐ケース部３を本体ケース部２に嵌合した際に、接触子２４（２５）の第１接触部２４ａ（２５ａ）に挿入される接触子とされており、挿入しやすいように先端に面取りが施されている。また、挿入片１３には挿入部１３１の反対側に延伸する２本の係合脚１３２を備えている。この係合脚１３２は、挿入片１３が固着される分岐回路基板１２の係合穴に挿入されて係合される脚部とされている。そして、挿入係合された係合脚１３２には分岐回路基板１２に組み込まれている分岐回路の入力端あるいは出力端がハンダつけされる。また、挿入片１３のほぼ中央部には一方方向へほぼ直角に折曲された折曲片１３３と、多方向へほぼ直角に折曲された２つの折曲片１３４とが形成されている。これらの３つの折曲片１３３，１３４は、係合脚１３２が分岐回路基板１２の係合穴に挿入された際に、分岐回路基板１２の上面に当接する。この場合、３つの折曲片１３３，１３４を結ぶと３角形となることから、３つの折曲片１３３，１３４により挿入片１３を分岐回路基板１２にほぼ直立状態で安定して支持することができるようになる。
【００２０】
【発明の効果】
上記したように本発明の分岐器は、本体ケース部に分岐ケース部が取り付けられた際に、入力端子と出力端子との間に分岐回路を挿入し、本体ケース部内から前記ケース部が取り外された際に、入力端子と出力端子とを直接接続するようスイッチングするスイッチ手段を設けるようにしている。そして、スイッチ手段におけるスイッチ板の一端部が接触する入力端子接点を第１の絶縁部材で固着すると共に、スイッチ板の他端部が接触する出力端子接点を第２の絶縁部材で固着するようにしている。これにより、分岐数を変更する際に分岐回路および分岐端子が設けられている分岐ケース部を本体ケース部から取り外しても、ＣＡＴＶ信号が停波することを防止することができる。また、第１の絶縁部材と第２の絶縁部材によりそれぞれ入力端子接点および出力端子接点を固着するようにしたので、ケースの大きさの異なる分岐器であってもケースの大きさに合わせて入力端子接点および出力端子接点を第１の絶縁部材および第２の絶縁部材により固着することができるようになる。さらに、分岐器に障害が発生して分岐器のケースを開ける必要がある場合にもＣＡＴＶ信号が停波することを防止することができる。
【図面の簡単な説明】
【図１】本発明の実施の形態の分岐器の全体構成を示す正面図である。
【図２】本発明の実施の形態の分岐器の全体構成を示す側面図である。
【図３】本発明の実施の形態の分岐器の全体構成を示す底面図である。
【図４】本発明の実施の形態にかかる分岐器の構成を示す断面図である。
【図５】本発明の実施の形態にかかる分岐器において分岐ケースを取り外した状態の本体ケース部の内部構造を示す図である。
【図６】本発明の実施の形態にかかる分岐器において本体ケース部から取り外した状態の分岐ケース部の内部構造を示す図である。
【図７】本発明の実施の形態にかかる分岐器において本体ケース部における絶縁支持部の構成を示す一部拡大図である。
【図８】本発明の実施の形態の分岐器において、分岐ケースを取り外した状態の分岐器の構成を示す断面図である。
【図９】本発明の実施の形態の分岐器における分岐ケース部の構成を示す正面図である。
【図１０】本発明の実施の形態の分岐器における分岐ケース部の構成を示す下面図である。
【図１１】本発明の実施の形態の分岐器における分岐ケース部の構成を示す裏面図である。
【図１２】本発明の実施の形態の分岐器における分岐ケース部の構成を示す左側面図である。
【図１３】本発明の実施の形態の分岐器における本体ケース部の構成を示す正面図である。
【図１４】本発明の実施の形態の分岐器における本体ケース部の構成を示す裏面図である。
【図１５】本発明の実施の形態の分岐器における本体ケース部の構成を示す左側面図である。
【図１６】本発明の実施の形態の分岐器における本体ケース部の構成を示す平面図である。
【図１７】本発明の実施の形態の分岐器における本体ケース部の構成を示す右側面図である。
【図１８】本発明の実施の形態の分岐器におけるスイッチ板の構成を示す正面図である。
【図１９】本発明の実施の形態の分岐器におけるスイッチ板の構成を示す平面図である。
【図２０】本発明の実施の形態の分岐器における絶縁支持部の構成を示す正面図である。
【図２１】本発明の実施の形態の分岐器における絶縁支持部の構成を示す平面図である。
【図２２】本発明の実施の形態の分岐器におけるスイッチ板の構成を示す裏面図である。
【図２３】本発明の実施の形態の分岐器におけるスイッチ板の構成を示す断面図で示す平面図、右側面図および左側面図である。
【図２４】本発明の実施の形態の分岐器における絶縁支持部の構成を示す正面図および平面図、スイッチ操作片を絶縁支持部に取り付けた際の構成を示す図である。
【図２５】本発明の実施の形態の分岐器における接触子の構成を示す正面図である。
【図２６】本発明の実施の形態の分岐器における接触子の構成を示す左側面図である。
【図２７】本発明の実施の形態の分岐器における接触子の構成を示す平面図である。
【図２８】本発明の実施の形態の分岐器における接触子の構成を示す右側面図である。
【図２９】本発明の実施の形態の分岐器における接触子の構成を示す上面図である。
【図３０】本発明の実施の形態の分岐器における挿入片の構成を示す正面図、平面図、側面図および裏面図である。
【符号の説明】
１　分岐器、２　本体ケース部、２ａ　取付部、２ｂ　取付部、２ｃ　ネジ孔、２ｄ　支持突部、２ｅ　ネジ孔、２ｆ　リング状溝、３　分岐ケース部、３ａ　リング状溝、４　同軸接栓、４ａ　中心導体、５　同軸接栓、５ａ　中心導体、６　固着部、６ａ　挟持板、６ｂ　挟持用突出部、１１ａ〜１１ｄ　分岐端子、１２ａ，１２ｂ，１２ｃ　ネジ、１２　分岐回路基板、１３　挿入片、１３ａ　挿入片、１３ｂ　挿入片、１４ａ，１４ｂ，１４ｃ　ネジ穴、１５　Ｏリング、１６　嵌合部、２０ａ，２０ｂ，２０ｃ　ネジ孔、２１　スイッチ板、２１ａ　細板部、２１ｂ　傾斜部、２１ｃ　接点、２１ｄ　貫通孔、２１ｅ　傾斜部、２１ｆ　接点、２１ｇ　貫通孔、２２　スイッチ操作片、２３　スイッチ操作片、２４ｃ　スリット、２４　接触子、２４ａ　第１接触部、２４ｂ　第２接触部、２４ｄ　第３接触部、２５　接触子、２５ａ　第１接触部、２５ｂ　第２接触部、２６　絶縁支持部、２６ａ　収納部、２６ｂ　摺動部、２６ｃ　ネジ孔、２６ｄ　ネジ穴、２６ｅ　ネジ穴、２６ｆ　鍔部、２６ｇ　収納壁、２６ｈ　挿通孔、２６ｉ　圧力補助片、２７　絶縁支持部、２８ａ　ネジ、２８ｂ　ネジ、２８ｃ　ネジ、２８ｄ　ネジ、２９ａ　位置決め突起、２９ｂ　位置決め突起、３０Ｏリング、１３１　挿入部、１３２　係合脚、１３３　折曲片、１３４　折曲片、ＤＩＶ１，ＤＩＶ２，ＤＩＶ３，ＤＩＶ４　分岐信号
【図１】
2004063136.tif 000003
【図２】
2004063136.tif 000004
【図３】
2004063136.tif 000005
【図４】
2004063136.tif 000006
【図５】
2004063136.tif 000007
【図６】
2004063136.tif 000008
【図７】
2004063136.tif 000009
【図８】
2004063136.tif 000010
【図９】
2004063136.tif 000011
【図１０】
2004063136.tif 000012
【図１１】
2004063136.tif 000013
【図１２】
2004063136.tif 000014
【図１３】
2004063136.tif 000015
【図１４】
2004063136.tif 000016
【図１５】
2004063136.tif 000017
【図１６】
2004063136.tif 000018
【図１７】
2004063136.tif 000019
【図１８】
2004063136.tif 000020
【図１９】
2004063136.tif 000021
【図２０】
2004063136.tif 000022
【図２１】
2004063136.tif 000023
【図２２】
2004063136.tif 000024
【図２３】
2004063136.tif 000025
【図２４】
2004063136.tif 000026
【図２５】
2004063136.tif 000027
【図２６】
2004063136.tif 000028
【図２７】
2004063136.tif 000029
【図２８】
2004063136.tif 000030
【図２９】
2004063136.tif 000031
【図３０】
2004063136.tif 000032